(57)【特許請求の範囲】
【請求項１】
容器本体と、この容器本体の口部にネジ結合するキャップとを備えたキャップ付き容器であって、
上記口部または上記キャップが有するねじ山の始点側の端面は、ねじ底から上記ねじ山の高さの２０〜４０％までが、上記ねじ底に対して実質的に垂直に立ち上がる平面である一方、上記ねじ底から上記ねじ山の高さの２０％〜４０％以外の部分が、側方視で円弧状を呈する曲面、または、上記ねじ底に対して傾斜する平面であるキャップ付き容器。
【請求項２】
容器本体と、この容器本体の口部にネジ結合するキャップとを備えたキャップ付き容器であって、
上記口部と上記キャップとが有するねじ山の始点側の端面は、ねじ底から上記ねじ山の高さの２０〜４０％までが、上記ねじ底に対して実質的に垂直に立ち上がる平面である一方、上記ねじ底から上記ねじ山の高さの２０％〜４０％以外の部分が、側方視で円弧状を呈する曲面、または、上記ねじ底に対して傾斜する平面であるキャップ付き容器。
【発明の詳細な説明】
【０００１】
【発明の属する技術分野】
本発明は、容器本体の口部とキャップとがねじ結合するキャップ付き容器に関する。
【０００２】
【従来の技術】
通常、キャッピングマシーンを用いてキャップと容器本体を組み合わせ、キャップ付き容器を作製している。具体的には、図３に示すように、容器本体３１の口部３３にキャップ３２を乗せた後、容器本体３１の口部３３にキャップ３２を捻じ込むことにより、口部３３の外周面に形成された雄ねじ３４と、キャップ３２の内周面に形成された雌ねじ３５とを螺合させている。
【０００３】
従来は、図４に示すように、雄ねじ３４,雌ねじ３５のねじ山３６,３７における始点側端部３６ａ,３７ａの高さを徐々に低くして、ねじ山３６,３７の始点側の端面４１,４２を雄ねじ３４,雌ねじ３５のねじ底４３,４４(雌ねじ３５のねじ底４４は図示せず)に対して鋭角に傾斜させている。これにより、上記容器本体３１へのキャップ取付時、雌ねじ３５のねじ山３７は、図５に示すように、雄ねじ３４のねじ山３６間、つまり雄ねじ３４のねじ溝３８へ案内され易くなっている。
【０００４】
【発明が解決しようとする課題】
ところで、上記キャップ付き容器では、ねじ山３６,３７の始点側の端面４１,４２がねじ底４３から斜めに立ち上がっていることによって、図６に示すように、螺合初期に、雌ねじ３５の始点側端部３７ａが雄ねじ３４の始点側端部３６ａを容易に乗り越えてしまう。そのため、上記雄ねじ３４と雌ねじ３５とが互いに螺合しない場合があり、図７に示すように、キャップ３２が容器本体３１の口部３３に傾いて取り付けられて、キャップ３２の取付状態はいわゆる斜めキャップになってしまうことがある。
【０００５】
そこで、本発明の課題は、斜めキャップの発生を防止でき、キャップ取付の確実性が高いキャップ付き容器を提供することにある。
【０００６】
【課題を解決するための手段】
上記目的を達成するため、請求項１の発明のキャップ付き容器は、容器本体と、この容器本体の口部にネジ結合するキャップとを備えたキャップ付き容器であって、上記口部または上記キャップが有するねじ山の始点側の端面は、ねじ底から上記ねじ山の高さの２０〜４０％(好ましくは２７〜３３％)までが、上記ねじ底に対して実質的に垂直に立ち上がる平面である一方、上記ねじ底から上記ねじ山の高さの２０％〜４０％以外の部分が、側方視で円弧状を呈する曲面、または、上記ねじ底に対して傾斜する平面である。
【０００７】
上記請求項１の発明のキャップ付き容器によれば、上記容器本体の口部またはキャップにおいて、ねじ山の始点側の端面は、ねじ底からねじ山の高さの２０〜４０％(好ましくは２７〜３３％)までが実質的に垂直に立ち上がっているから、ねじ山の始点側端部が径方向に比較的厚く、かつ、上記端面がねじ底に対して垂直に立ち上がって、鋭角になっていないから、キャップのねじ山が螺合初期に口部のねじ山を乗り越えにくくなる。つまり、上記キャップのねじ山は、螺合初期に、口部のねじ溝に確実に案内される。その結果、キャップの取付状態が斜めキャップにならず、容器本体の口部へキャップを確実に取り付けることができる。
【０００８】
また、請求項２の発明のキャップ付き容器は、容器本体と、この容器本体の口部にネジ結合するキャップとを備えたキャップ付き容器であって、上記口部と上記キャップとが有するねじ山の始点側の端面は、ねじ底から上記ねじ山の高さの２０〜４０％(好ましくは２７〜３３％)までが、上記ねじ底に対して実質的に垂直に立ち上がる平面である一方、上記ねじ底から上記ねじ山の高さの２０％〜４０％以外の部分が、側方視で円弧状を呈する曲面、または、上記ねじ底に対して傾斜する平面である。
【０００９】
上記請求項２の発明のキャップ付き容器によれば、上記容器本体の口部およびキャップの両方においてねじ山の始点側の端面は、ねじ底からねじ山の高さの２０〜４０％(好ましくは２７〜３３％)までが実質的に垂直に立ち上がっているから、ねじ山の始点側端部が径方向に比較的厚く、かつ、上記端面がねじ底に対して垂直に立ち上がって、鋭角になっていないから、キャップのねじ山が螺合初期に口部のねじ山を乗り越えるのがより困難になる。つまり、上記キャップのねじ山は、螺合初期に、口部のねじ溝により確実に案内される。その結果、上記キャップの取付状態が斜めキャップにならず、容器本体の口部へキャップをより確実に取り付けることができる。
【００１０】
【発明の実施の形態】
以下、本発明のキャップ付き容器を図示の実施の形態により詳細に説明する。
【００１１】
本発明の実施の一形態のキャップ付き容器は、図３の従来例と同様に、容器本体と、この容器本体の口部にねじ結合するキャップとを備えている。
【００１２】
図１に上記キャップ付き容器の口部の断面図を示している。このキャップ付き容器では、雄ねじ４が口部３の外周面に形成されている一方、雌ねじ５がキャップ２の内周面に形成されている。上記雄ねじ４,雌ねじ５のねじ山６,７の始点側の端面１１,１２は、雄ねじ４及び雌ねじ５のねじ底１３(雌ねじ５のねじ底は図示せず)に対して垂直に立ち上がって、鋭角になっていない。より詳しくは、図２(Ａ)に示すように、上記雄ねじ４が有するねじ山６の始点側の端面１１は、口部３の外周面の一部に相当するねじ底１３からねじ山６の高さの１／３までが実質的に垂直に立ち上がり、ねじ山６の高さの１／３からねじ山６の頂上１４までが円弧状になっている。この雄ねじ４と同様に、上記雌ねじ５が有するねじ山７の始点側の端面１２も、キャップ２の内周面の一部に相当するねじ底からねじ山７の高さの１／３までが実質的に垂直に立ち上がり、ねじ山７の高さの１／３からねじ山７の頂上１５までが円弧状になっている。また、ねじ山の頂上までが円弧状でなくてもよく、垂直でなければよい。例えば、図２(Ｂ)に示すように、雄ねじ,雌ねじにおいて、ねじ山１０６の始点側の端面１１１は、ねじ山１０６の高さの１／３からねじ山１０６の頂上１１４までが平面状であってもよい。実質的に垂直に立ち上がるとは、キャップのねじ山が螺合初期に口部のねじ山を乗り越えるのが困難であり、キャップをより確実に取り付けることができる程度の角度で立ち上がることである。
【００１３】
また、上記雄ねじ４,雌ねじ５のねじ山６,７の始点側端部６ａ,７ａは、図５に示すようにねじ山本体の軸方向の幅より小さくてもよいが、図２に示すように、ねじ山本体の軸方向の幅と等しい幅を有しているのが確実に取り付けるために好ましい。
【００１４】
上記構成のキャップ付き容器によれば、容器本体の口部３およびキャップ２の両方において、ねじ山６,７の始点側の端面１１,１２は、ねじ底１３からねじ山６,７の高さの１／３までが実質的に垂直に立ち上がっているから、ねじ山６,７の始点側端部６ａ,７ａが径方向に比較的厚くなっている。さらに、上記端面１１,１２がねじ底１３に対して垂直に立ち上がって、鋭角になっていないから、螺合初期に、キャップ２のねじ山７が口部３のねじ山６を乗り越えるのは至難である。したがって、上記キャップ２のねじ山７は、螺合初期に、口部３のねじ溝８(図２参照)により確実に案内されることになって、キャップ２の取付状態が斜めキャップにならず、容器本体の口部３へキャップ２をより確実に取り付けることができる。
【００１５】
上記実施の形態では、雄ねじ４,雌ねじ５の両方において、ねじ山６,７の始点側の端面１１,１２が、ねじ底１３からねじ山６,７の高さの１／３までが実質的に垂直に立ち上がっていたが、雄ねじと雌ねじとのうち少なくとも一方において、ねじ山の始点側の端面が、ねじ底からねじ山の高さの２０〜４０％までが実質的に垂直に立ち上がってればよい。
【００１６】
また、上記ねじ山６,７の始点側の端面１１,１２は、ねじ底１３からねじ山６,７の高さの略２０〜４０％までが実質的に垂直に立ち上がっていればよい。
【００１７】
また、上記ねじ山６,７の始点側端部６ａ,７ａにおける軸方向の幅は、ねじ山本体の軸方向の幅と等しかったが、ねじ山本体の軸方向の幅と略等しくてもよい。上記ねじ山６,７の始点側端部６ａ,７ａにおいて軸方向の幅は広ければ広いほど斜めキャップが発生する確率が低下するが、実用的には、例えば、ねじ山の頂上近傍で０.５ｍｍ〜２.５ｍｍ、ねじ底近傍で０.５ｍｍ〜２.０ｍｍの幅に設定するのが好ましい。
【００１８】
また、上記容器本体の口部３の外周面にねじ山６を形成し、キャップ２の内周面にねじ山７を形成していたが、口部の内周面にねじ山を形成しキャップの外周面にねじ山を形成してもよい。すなわち、容器本体の口部に雌ねじを設け、キャップに雄ねじを設けてもよい。
【００１９】
【発明の効果】
以上より明らかなように、請求項１の発明のキャップ付き容器は、容器本体の口部またはキャップにおいて、ねじ山の始点側の端面は、ねじ底からねじ山の高さの２０〜４０％までが実質的に垂直に立ち上がっているから、ねじ山の始点側端部が径方向に比較的厚く、かつ、上記端面がねじ底に対して垂直に立ち上がっており、鋭角になっていないから、キャップのねじ山が螺合初期に口部のねじ山を乗り越えにくくなって、斜めキャップの発生を防止でき、キャップ取付の確実性が高まる。
【００２０】
請求項２の発明のキャップ付き容器によれば、容器本体の口部およびキャップの両方においてねじ山の始点側の端面は、ねじ底からねじ山の高さの２０〜４０％までが実質的に垂直に立ち上がっているから、ねじ山の始点側端部が径方向に比較的厚く、かつ、上記端面がねじ底に対して垂直に立ち上がって、鋭角になっていないから、キャップのねじ山が螺合初期に口部のねじ山を乗り越えるのは至難である。したがって、斜めキャップの発生を防止でき、キャップ取付の確実性をより高めることができる。
【図面の簡単な説明】
【図１】  図１は本発明の実施の一形態のキャップ付き容器の口部の断面図である。
【図２】  図２(Ａ)は上記口部の雄ねじの正面図及び側面図であり、図２(Ｃ)は上記口部の雄ねじとキャップの雌ねじとの螺合初期の状態を示す図であり、図２(Ｂ)は上記雄ねじの変形例の正面図及び側面図である。
【図３】  図３は従来のキャップ付き容器において、容器本体へのキャップの取付を説明するための図である。
【図４】  図４は上記従来のキャップ付き容器の口部の断面図である。
【図５】  図５は上記従来のキャップ付き容器の口部の雄ねじとキャップの雌ねじとの螺合初期の状態を示す図である。
【図６】  図６は図５は上記従来のキャップ付き容器の口部の雄ねじとキャップの雌ねじとが不適切な螺合した状態を示す図である。
【図７】  図７は上記従来のキャップ付き容器において、キャップの取付状態が斜めキャップになっているときの側面図である。
【符号の説明】
２  キャップ
３  口部
４  雄ねじ
５  雌ねじ
６,７  ねじ山
１１,１２  端面
１３  ねじ底
１４,１５  頂上
【図１】
0004365999.tif 000002
【図２】
0004365999.tif 000003
【図３】
0004365999.tif 000004
【図４】
0004365999.tif 000005
【図５】
0004365999.tif 000006
【図６】
0004365999.tif 000007
【図７】
0004365999.tif 000008